【手続補正書】
【提出日】平成18年3月9日(2006.3.9)
【手続補正１】
【補正対象書類名】明細書
【補正対象項目名】発明の名称
【補正方法】変更
【補正の内容】
【発明の名称】圧力容器と圧力容器の内圧付与方法及びその装置と圧力容器の供給方法及びその後のサービス提供方法と気泡含有粒子の圧力調整方法及び気泡含有粒子の充填方法
【手続補正２】
【補正対象書類名】明細書
【補正対象項目名】特許請求の範囲
【補正方法】変更
【補正の内容】
【特許請求の範囲】
【請求項１】  内圧維持を可能とした圧力容器であって、その内部に、大気圧よりも高圧に保持された独立気泡を有する、気泡含有粒子を配置して成ることを特徴とする圧力容器。
【請求項２】  請求項１において、圧力容器の内部を、さらに複数室に分割すると共に、その少なくとも一室に、大気圧よりも高圧に保持された独立気泡を有する、気泡含有粒子を配置して成ることを特徴とする圧力容器。
【請求項３】  請求項１または２において、圧力容器がタイヤとリムの組立体であることを特徴とする圧力容器。
【請求項４】  圧力容器の内部に、大気圧よりも高圧に保持された独立気泡を有する、気泡含有粒子を充填して、該圧力容器に所定の内圧を付与することを特徴とする圧力容器の内圧付与方法。
【請求項５】  請求項４において、大気圧よりも高圧の環境下にて、独立気泡の内圧を所定範囲に管理した気泡含有粒子を、高圧の環境下で圧力容器内に充填することを特徴とする圧力容器の内圧付与方法。
【請求項６】  請求項５おいて、高圧の環境が３００ｋＰａ以上の圧力下にあることを特徴とする圧力容器の内圧付与方法。
【請求項７】  請求項４、５または６において、気泡含有粒子を高圧気体とともに圧力容器内に充填することを特徴とする圧力容器の内圧付与方法。
【請求項８】  請求項４において、気泡含有粒子が充填された貯蔵タンクを、圧力容器に管を介して連結し、該圧力容器の内圧に比して貯蔵タンクの内圧を高くして、その差圧をもって気泡含有粒子を貯蔵タンクから圧力容器の内部へ移送し、圧力容器の内部に気泡含有粒子を充填することを特徴とする圧力容器の内圧付与方法。
【請求項９】  請求項４において、気泡含有粒子が充填された貯蔵タンクを、内部を複数室に分割した圧力容器の少なくとも一室に管を介して連結し、該室の内圧に比して貯蔵タンクの内圧を高くして、その差圧をもって気泡含有粒子を貯蔵タンクから圧力容器の室内部へ移送し、室内部に気泡含有粒子を充填することを特徴とする圧力容器の内圧付与方法。
【請求項１０】  請求項４において、気泡含有粒子が充填された貯蔵タンクを、中空リング体に管を介して連結し、該中空リング体の内圧に比して貯蔵タンクの内圧を高くして、その差圧をもって気泡含有粒子を貯蔵タンクから中空リング体へ移送し、中空リング体内部に気泡含有粒子を配置してから、該中空リング体を圧力容器内部に組み込むことを特徴とする圧力容器の内圧付与方法。
【請求項１１】  請求項８、９または１０において、差圧が１００ｋＰａ以上であることを特徴とする圧力容器の内圧付与方法。
【請求項１２】  気泡含有粒子を所定の圧力下で貯蔵する貯蔵手段と、貯蔵された気泡含有粒子を、該気泡含有粒子を充填する圧力容器へ移送するための移送手段とをそなえて成ることを特徴とする圧力容器の内圧付与装置。
【請求項１３】  請求項１２において、さらに圧力容器の加振手段を有することを特徴とする圧力容器の内圧付与装置。
【請求項１４】  請求項１２または１３において、さらに気泡含有粒子と気体との分別手段を有することを特徴とする圧力容器の内圧付与装置。
【請求項１５】  請求項１２ないし１４のいずれかにおいて、さらに気泡含有粒子の計量手段を有することを特徴とする圧力容器の内圧付与装置。
【請求項１６】  請求項１２ないし１５のいずれかにおいて、さらに移送速度の調整手段を有することを特徴とする圧力容器の内圧付与装置。
【請求項１７】  請求項１２ないし１５のいずれかにおいて、移送手段は密閉系であることを特徴とする圧力容器の内圧付与装置。
【請求項１８】  請求項１２ないし１７のいずれかにおいて、移送手段は管路であることを特徴とする圧力容器の内圧付与装置。
【請求項１９】  請求項１２ないし１８のいずれかにおいて、移送手段は複数本の管路であることを特徴とする圧力容器の内圧付与装置。
【請求項２０】  請求項１２ないし１９のいずれかにおいて、貯蔵手段は耐圧構造であることを特徴とする圧力容器の内圧付与装置。
【請求項２１】  請求項１２ないし２０のいずれかにおいて、貯蔵手段は変圧機能を有することを特徴とする圧力容器の内圧付与装置。
【請求項２２】  請求項１２ないし２１のいずれかにおいて、貯蔵手段は圧力センサーを有することを特徴とする圧力容器の内圧付与装置。
【請求項２３】  内部に、大気圧よりも高圧に保持された独立気泡を有する、気泡含有粒子を配置して成る圧力容器を供給するに際し、該気泡含有粒子を充填した圧力容器を該圧力容器の供給先に輸送する行程において、圧力容器の気泡含有粒子を含む内部を所定の圧力に調整することを特徴とする圧力容器の供給方法。
【請求項２４】  内部に、大気圧よりも高圧に保持された独立気泡を有する、気泡含有粒子を配置して成る圧力容器を供給するに際し、該気泡含有粒子を充填した圧力容器の内部を所定の圧力に調整してから、該圧力容器の供給先に輸送することを特徴とする圧力容器の供給方法。
【請求項２５】  内部に、大気圧よりも高圧に保持された独立気泡を有する、気泡含有粒子を配置して成る圧力容器を供給するに際し、該気泡含有粒子を高圧の環境下に貯蔵した状態にて、圧力容器の供給先に輸送し、この供給先において、供給先にある圧力容器または気泡含有粒子と別に輸送された圧力容器の内部に、独立気泡内圧が所定圧力に保持された気泡含有粒子を充填することを特徴とする圧力容器の供給方法。
【請求項２６】  タイヤとリムの組立体を装着した車両のドライバーを対象としたサービスの提供方法において、
車両に通信を行なうことが可能な端末機器を設けると共に、タイヤとリムの組立体に内圧センサーを設け、該内圧センサーが異常を検知した場合には、前記端末機器から前記内圧センサーからの特定情報を、通信管理部を経由してタイヤとリムの組立体の販売・修理を行なうサービスショップの位置情報を予め格納したデータベース部を有する情報管理サーバに送信し、情報管理サーバは、受信した特定情報からデータベース部を用いて前記車両が位置する地域内のサービスショップの情報を抽出するとともに、この抽出したサービスショップ情報を、又一方では内圧異常警報を、通信管理部を通じて前記端末機器に送信し、端末機器は、受信した内圧異常警報及びサービスショップ情報を前記車両のドライバーに通知することを特徴とする圧力容器の供給後のサービス提供方法。
【請求項２７】  請求項２６において、情報管理サーバは、通信管理部を通じて、抽出したサービスショップに対し前記車両の特定情報を送信することを特徴とする圧力容器の供給後のサービス提供方法。
【請求項２８】 発泡剤を封じ込めた樹脂粒子を加熱発泡させて得られた、気泡含有粒子を大気圧よりも高圧の環境下に保持し、該気泡含有粒子の独立気泡の内圧を調整することを特徴とする気泡含有粒子の内圧調整方法。
【請求項２９】 請求項２８において、前記気泡含有粒子を大気圧よりも高圧の貯蔵タンク内に貯蔵し、大気圧よりも高圧の環境下に保持することを特徴とする気泡含有粒子の内圧調整方法。
【請求項３０】 請求項２８または２９において、前記気泡含有粒子を保持する環境下の圧力が、タイヤにおける規定内圧であることを特徴とする気泡含有粒子の内圧調整方法。
【請求項３１】 請求項２８ないし３０のいずれかにおいて、前記気泡含有粒子を保持する環境下の圧力が、１５０ｋＰａ以上であることを特徴とする気泡含有粒子の内圧調整方法。
【請求項３２】 発泡剤を封じ込めた樹脂粒子を加熱発泡させて得られた、気泡含有粒子を大気圧よりも高圧の貯蔵タンク内に貯蔵し、該気泡含有粒子の独立気泡の内圧を調整したのち、該貯蔵タンク内の気体とともに気泡含有粒子をタイヤとリムの組立体の内部に充填することを特徴とするタイヤとリムの組立体への気泡含有粒子の充填方法。
【請求項３３】 請求項２８において、前記気泡含有粒子を大気圧よりも高圧に調整された貯蔵タンク内に貯蔵し、大気圧よりも高圧の環境下に保持することを特徴とする気泡含有粒子の内圧調整方法。
【請求項３４】 タイヤを適用リムに装着したタイヤとリムの組立体の内部に供する中空リング体であって、内部に、大気圧よりも高圧に保持された独立気泡を有する、気泡含有粒子を配置して成る中空リング体。
【請求項３５】 タイヤを適用リムに装着したタイヤとリムの組立体において、該リムの周面に沿って、請求項３４に[記載の中空リング体を配置して成るタイヤとリムの組立体。
【手続補正３】
【補正対象書類名】明細書
【補正対象項目名】００４３
【補正方法】変更
【補正の内容】
【００４３】
（２６）タイヤとリムの組立体を装着した車両のドライバーを対象としたサービスの提供方法において、車両に通信を行なうことが可能な端末機器を設けると共に、タイヤとリムの組立体に内圧センサーを設け、該内圧センサーが異常を検知した場合には、前記端末機器から前記内圧センサーからの特定情報を、通信管理部を経由してタイヤとリムの組立体の販売・修理を行なうサービスショップの位置情報を予め格納したデータベース部を有する情報管理サーバに送信し、情報管理サーバは、受信した特定情報からデータベース部を用いて前記車両が位置する地域内のサービスショップの情報を抽出するとともに、この抽出したサービスショップ情報を、又一方では内圧異常警報を、通信管理部を通じて前記端末機器に送信し端末機器は、受信した内圧異常警報及びサービスショップ情報を前記車両のドライバーに通知することを特徴とする圧力容器の供給後のサービス提供方法。
【手続補正４】
【補正対象書類名】明細書
【補正対象項目名】００４４
【補正方法】変更
【補正の内容】
【００４４】
（２７）上記（２６）において、情報管理サーバは、通信管理部を通じて、抽出したサービスショップに対し前記車両の特定情報を送信することを特徴とする圧力容器の供給後のサービス提供方法。
（２８）発泡剤を封じ込めた樹脂粒子を加熱発泡させて得られた、気泡含有粒子を大気圧よりも高圧の環境下に保持し、該気泡含有粒子の独立気泡の内圧を調整することを特徴とする気泡含有粒子の内圧調整方法。
（２９）上記（２８）において、前記気泡含有粒子を大気圧よりも高圧の貯蔵タンク内に貯蔵し、大気圧よりも高圧の環境下に保持することを特徴とする気泡含有粒子の内圧調整方法。
（３０）上記（２８）または（２９）において、前記気泡含有粒子を保持する環境下の圧力が、タイヤにおける規定内圧であることを特徴とする気泡含有粒子の内圧調整方法。
（３１）上記（２８）ないし（３０）のいずれかにおいて、前記気泡含有粒子を保持する環境下の圧力が、１５０ｋＰａ以上であることを特徴とする気泡含有粒子の内圧調整方法。
（３２）発泡剤を封じ込めた樹脂粒子を加熱発泡させて得られた、気泡含有粒子を大気圧よりも高圧の貯蔵タンク内に貯蔵し、該気泡含有粒子の独立気泡の内圧を調整したのち、該貯蔵タンク内の気体とともに気泡含有粒子をタイヤとリムの組立体の内部に充填することを特徴とするタイヤとリムの組立体への気泡含有粒子の充填方法。
（３３）上記（２８）において、前記気泡含有粒子を大気圧よりも高圧に調整された貯蔵タンク内に貯蔵し、大気圧よりも高圧の環境下に保持することを特徴とする気泡含有粒子の内圧調整方法。
（３４）タイヤを適用リムに装着したタイヤとリムの組立体の内部に供する中空リング体であって、内部に、大気圧よりも高圧に保持された独立気泡を有する、気泡含有粒子を配置して成る中空リング体。
（３５）タイヤを適用リムに装着したタイヤとリムの組立体において、該リムの周面に沿って、上記（３４）に記載の中空リング体を配置して成るタイヤとリムの組立体。